(57)【要約】      （修正有）【課題】異物の侵入を確実に防止することができる伸縮カバー装置を提供する。【解決手段】複数のカバー部材２０が連結部材３０を介して連結されて伸縮可能に構成された伸縮カバー装置であって、複数のカバー部材２０は、隣接するもの同士が互いに摺動可能に重なり合う被覆部２１と、被覆部２１から起立して互いに対向する取付部２２とを備え、連結部材３０は、弾性変形可能な一対の帯状部３１，３１と、一対の帯状部３１，３１同士を一端側において連接する折り返し部３２とを備え、一対の帯状部３１，３１の他端側が、互いに隣接する取付部３２，３２にそれぞれ取り付けられており、帯状部３１は、長手方向に延びる一対の側縁の一方が他方よりも長さが短い短辺部３６とされており、短辺部３６が被覆部２１と対向するように配置されている。【選択図】図６
2020121380.tif 000002
【特許請求の範囲】
【請求項１】
複数のカバー部材が連結部材を介して連結されて伸縮可能に構成された伸縮カバー装置であって、
複数の前記カバー部材は、隣接するもの同士が互いに摺動可能に重なり合う被覆部と、前記被覆部から起立して互いに対向する取付部とを備え、
前記連結部材は、弾性変形可能な一対の帯状部と、一対の前記帯状部同士を一端側において連接する折り返し部とを備え、一対の前記帯状部の他端側が、互いに隣接する前記取付部にそれぞれ取り付けられており、
前記帯状部は、長手方向に延びる一対の側縁の一方が他方よりも長さが短い短辺部とされており、前記短辺部が前記被覆部と対向するように配置されている伸縮カバー装置。
【請求項２】
前記連結部材は、隣接する前記取付部間において、前記折り返し部同士が互いに対向するように複数配置されている請求項１に記載の伸縮カバー装置。
【請求項３】
前記取付部は、起立方向先端側に切欠部が形成されており、
前記切欠部は、水平に延びるガイドレールに係合する請求項１または２に記載の伸縮カバー装置。
【請求項４】
一対の前記帯状部は、前記折り返し部を介して一体的に成形されており、
前記折り返し部は、前記短辺部に対して直線状に傾斜する請求項１から３のいずれかに記載の伸縮カバー装置。
【請求項５】
隣接する前記取付部の間に、折線で折り畳み可能なシート状の制限部材が設けられ、
前記制限部材は、前記折線が前記被覆部と対向するように配置され、折り畳み状態から展開されることにより、隣接する前記取付部の間隔の拡がりを制限し、前記被覆部同士の重なりを維持する請求項１から４のいずれかに記載の伸縮カバー装置。
【発明の詳細な説明】
【技術分野】
【０００１】
本発明は、伸縮カバー装置に関する。
【背景技術】
【０００２】
工作機械の駆動機構等を保護するためのカバーとして、特許文献１に開示されたカバー部材装置が知られている。このカバー部材装置は、複数のカバー部材が弾性材により連結されており、両端が工作機械の可動部および固定部にそれぞれ固定されて、可動部の移動により伸縮する。弾性材は、２つの連結部材を一端側で接続することにより構成されており、２つの連結部材は、一端側から他端側に向けて互いの間隔が徐々に離間し、他端側がカバー部材に固定されている。
【先行技術文献】
【特許文献】
【０００３】
【特許文献１】特開２００７−１４４５３４号公報
【発明の概要】
【発明が解決しようとする課題】
【０００４】
上記従来のカバー部材装置は、伸長時に各カバー部材同士の重なりが少なくなると、各カバー部材の間に隙間が生じるおそれがあり、この隙間から切粉や切削液等の異物が侵入し易いという問題があった。
【０００５】
そこで、本発明は、異物の侵入を確実に防止することができる伸縮カバー装置の提供を目的とする。
【課題を解決するための手段】
【０００６】
本発明の前記目的は、複数のカバー部材が連結部材を介して連結されて伸縮可能に構成された伸縮カバー装置であって、複数の前記カバー部材は、隣接するもの同士が互いに摺動可能に重なり合う被覆部と、前記被覆部から起立して互いに対向する取付部とを備え、前記連結部材は、弾性変形可能な一対の帯状部と、一対の前記帯状部同士を一端側において連接する折り返し部とを備え、一対の前記帯状部の他端側が、互いに隣接する前記取付部にそれぞれ取り付けられており、前記帯状部は、長手方向に延びる一対の側縁の一方が他方よりも長さが短い短辺部とされており、前記短辺部が前記被覆部と対向するように配置されている伸縮カバー装置により達成される。
【０００７】
この伸縮カバー装置において、前記連結部材は、隣接する前記取付部間において、前記折り返し部同士が互いに対向するように複数配置されていることが好ましい。
【０００８】
また、前記取付部の起立方向先端側に切欠部を形成して、前記切欠部が水平に延びるガイドレールに係合する構成にすることができる。
【０００９】
一対の前記帯状部は、前記折り返し部を介して一体的に成形されていることが好ましく、前記折り返し部は、前記短辺部に対して直線状に傾斜することが好ましい。
【００１０】
また、隣接する前記取付部の間に、折線で折り畳み可能なシート状の制限部材が設けられることが好ましい。前記制限部材は、前記折線が前記被覆部と対向するように配置されることが好ましく、折り畳み状態から展開されることにより、隣接する前記取付部の間隔の拡がりを制限し、前記被覆部同士の重なりを維持することができる。
【発明の効果】
【００１１】
本発明によれば、異物の侵入を確実に防止することができる伸縮カバー装置を提供することができる。
【図面の簡単な説明】
【００１２】
【図１】本発明の一実施形態に係る伸縮カバー装置の正面図である。
【図２】図１に示す伸縮カバー装置の要部を示す背面図である。
【図３】図１に示す伸縮カバー装置の要部を示す平面図である。
【図４】図３のＡ−Ａ断面図である。
【図５】図１に示す伸縮カバー装置が備える連結部材の斜視図である。
【図６】図１に示す伸縮カバー装置の作動を説明するための部分平面図である。
【図７】本発明の他の実施形態に係る伸縮カバー装置の背面図である。
【図８】図７のＥ−Ｅ断面図である。
【図９】図７に示す伸縮カバー装置の作動を説明するための断面図である。
【発明を実施するための形態】
【００１３】
以下、本発明の実施の形態について、添付図面を参照して説明する。図１は、本発明の一実施形態に係る伸縮カバー装置の正面図である。図１に示すように、伸縮カバー装置１は、矩形状のフレーム１０内において左右方向に往復動する移動体１３と、移動体１３の左右両側をそれぞれ覆うように複数連結されたカバー部材２０とを備えている。移動体１３は、例えば工作機械の加工ヘッド等に固定され、移動体１３が加工ヘッド等と共に移動することで、複数のカバー部材２０が伸縮する。
【００１４】
図２および図３は、それぞれ図１に示す伸縮カバー装置１の要部を示す背面図および平面図である。また、図４は、図３のＡ−Ａ断面図である。図２から図４に示すように、移動体１３の左右両側には、設置面から鉛直方向に延びるように固定された固定体１１，１２が設けられており、固定体１１と移動体１３との間、および、移動体１３と固定体１２との間に、それぞれ複数のカバー部材２０が設けられている。左右の固定体１１，１２の間には、水平に延びるガイドレール１４が支持されている。
【００１５】
カバー部材２０は、ステンレス等の金属板を折り曲げた形状を有しており、被覆部２１と、被覆部２１から水平方向に起立する取付部２２とを備えている。複数のカバー部材２０は、隣接する被覆部２１同士が互いに摺動可能に重なり合い、且つ、取付部２２同士が互いに対向するように配置されており、取付部２２，２２の間に介在された連結部材３０により連結されている。取付部２２の起立方向先端側には、ガイドレール１４に係合する切欠部２２ａが形成されており、カバー部材２０が伸縮時にガイドレール１４に沿って案内される。
【００１６】
図５は、連結部材３０の斜視図である。連結部材３０は、ゴム等の弾性材料からなる一対の帯状部３１，３１と、一対の帯状部３１，３１同士を一端側において連接する折り返し部３２と、一対の帯状部３１，３１の他端側にそれぞれ設けられた固定部３３，３３とを備えており、固定部３３，３３の間隔を拡げることにより、一対の帯状部３１，３１が弾性変形する。固定部３３には、貫通孔３３ａが形成されており、図３および図４に示すように、ネジ等の連結具３４を貫通孔に挿通してカバー部材２０の取付部２２に取り付けることにより、連結部材３０がカバー部材２０に固定される。
【００１７】
図４に示すように、連結部材３０は、隣接する取付部２２，２２の間において上下に２つ設けられており、長手方向が上下方向となるように配置されて、折り返し部３２，３２同士が互いに対向する。各連結部材３０の帯状部３１は、長手方向に延びる一対の側縁３５，３６の長さが互いに相違しており、長辺部３５が取付部２２の起立方向先端側となり、長辺部３５よりも長さが短い短辺部３６が被覆部２１と対向するように配置されている。
【００１８】
連結部材３０は、複数のカバー部材２０を連結すると共に、カバー部材２０と固定体１１，１２および移動体１３との連結にも使用されており、固定体１１と移動体１３との間、および、移動体１３と固定体１２との間において、複数のカバー部材２０が伸縮可能となるように構成されている。
【００１９】
上記の構成を備える伸縮カバー装置１は、図３に示す移動体１３が右方向に移動すると、固定体１１と移動体１３との間に配置された各カバー部材２０は、図６（ａ）に示す状態から矢示Ｂ方向へと移動し、図６（ｂ）に示すように、それぞれの取付部２２の間隔が拡がる。これに伴い、各連結部材３０は、一対の帯状部３１，３１が弾性変形して拡がるが、被覆部２１に対向する短辺部３６が長辺部３５よりも短く形成されているため、長辺部３５側と比較して短辺部３６側の帯状部３１，３１の伸びが抑制される。この結果、各カバー部材２０の取付部２２には矢示Ｃ方向に回動する力が作用し、被覆部２１の先端部２１ａが、固定体１２または他の被覆部２１の表面を矢示Ｄ方向に押圧する。したがって、複数のカバー部材２０の伸長時に、各カバー部材２０を確実に摺動させることができるので、被覆部２１同士の重なりが少なくなった場合でも、隣接するカバー部材２０，２０の間に隙間が生じるおそれがなく、切粉等の異物の侵入を確実に防止することができる。
【００２０】
また、隣接する取付部２２，２２の間で上下に複数配置された連結部材３０，３０は、それぞれの折り返し部３２，３２が互いに対向するため、連結部材３０，３０の拡がりに伴いカバー部材２０にねじれ方向の力が作用した場合でも、この力を上下で相殺して緩和することができる。したがって、被覆部２１同士を上下全体で確実に摺動させることができるので、異物の侵入をより確実に防止することができる。但し、隣接する取付部２２，２２間の連結部材３０の配置は、必ずしも本実施形態のものに限定されず、例えば、上下に配置された連結部材３０，３０の間に、弾性変形可能な他の連結部材を配置してもよい。また、カバー部材２０の上下方向の高さが低い等の場合には、連結部材３０が単一であってもよい。
【００２１】
複数のカバー部材２０の伸縮を案内するガイドレール１４は、取付部２２の起立方向先端側に形成された切欠部２２ａに係合するため、各カバー部材２０を確実に摺動させながら案内することができる。本実施形態のガイドレール１４は、カバー部材２０の上部のみに配置されているが、カバー部材２０の上下にそれぞれ配置してもよく、あるいは、ガイドレール１４を備えない構成にすることも可能である。
【００２２】
また、本実施形態の連結部材３０は、一対の帯状部３１，３１が折り返し部３２を介して一体的に成形されており、折り返し部３２が長辺部３５および短辺部３６に対して直線状に傾斜する構成にすることで、上述したカバー部材２０同士の摺動が確実に行われるように構成している。図４に示す折り返し部３２と短辺部３６とがなす角度θは、９０度以上になると本発明の効果が得られなくなる一方、小さすぎるとカバー部材２０同士の摺動が困難になることから、例えば、７０〜８９度の範囲に設定することが好ましく、７５〜８５度の範囲がより好ましい。
【００２３】
連結部材３０は、必ずしも一対の帯状部３１，３１を一体的に成形する必要はなく、別部材からなる一対の帯状体を一端側において連結具や接着剤等により固着したものであってもよい。折り返し部３２は、必ずしも直線状である必要はなく、円弧状等の湾曲状であってもよい。
【００２４】
図７は、本発明の他の実施形態に係る伸縮カバー装置の背面図であり、図８は、図７のＥ−Ｅ断面図である。図７および図８に示す伸縮カバー装置１’は、図２に示す伸縮カバー装置において、隣接する取付部２１，２１の間で上下に配置される２つの連結部材３０，３０の間に２つの制限部材４０，４０を配置したものであり、その他の構成については図２等に示す伸縮カバー装置の構成と同様である。したがって、図７および図８において、図１から図６に示す構成と同様の構成部分には同一の符号を付して、詳細な説明を省略する。
【００２５】
図７および図８に示す制限部材４０は、可撓性を有する一方で伸縮性に乏しいシート状の部材であり、例えば、硬質樹脂等により形成することができる。制限部材４０は、折り畳み可能な折線４１が中央に形成されており、折線４１の両側に設けられた固定部４２，４２が、隣接する取付部２２，２２にそれぞれ固定されている。折線４１は、連結部材３０の長手方向に沿って上下に延びており、被覆部２１と対向する。
【００２６】
図９は、図７および図８に示す伸縮カバー装置１’の作動を説明するための図であり、図７のＦ−Ｆ断面に相当する。図９（ａ）に示すように、カバー部材２０，２０の取付部２２，２２同士が接近した状態では、折線４１が被覆部２１に接近するように制限部材４０が折り畳まれる。複数のカバー部材２０が矢示Ｇ方向に伸長すると、図９（ｂ）に示すように、隣接する取付部２２，２２の間が拡がることにより制限部材４０が折り畳み状態から展開され、取付部２２，２２間の拡がりが制限される。これにより、隣接する被覆部２１，２１同士の重なりが維持されるので、被覆部２１，２１の間からの異物の侵入が防止される。
【００２７】
制限部材４０の配置や個数は特に限定されないが、本実施形態のように取付部２１，２１の間に連結部材３０が複数配置される場合には、各連結部材３０に個別に対応するように、制限部材４０を複数設けることが好ましい。
【符号の説明】
【００２８】
１  伸縮カバー装置
１１，１２  固定体
１３  移動体
１４  ガイドレール
２０  カバー部材
２１  被覆部
２２  取付部
２２ａ  切欠部
３０  連結部材
３１  帯状部
３２  折り返し部
３６  短辺部
４０  制限部材
４１  折線
【図１】
2020121380.tif 000003
【図２】
2020121380.tif 000004
【図３】
2020121380.tif 000005
【図４】
2020121380.tif 000006
【図５】
2020121380.tif 000007
【図６】
2020121380.tif 000008
【図７】
2020121380.tif 000009
【図８】
2020121380.tif 000010
【図９】
2020121380.tif 000011